(57)【要約】【課題】  販売機器の導入に付随する保守点検等の負担を軽減できる販売機器のレンタル方法およびレンタルシステムを提供する。【解決手段】  販売機器の利用拡大を喚起させるため保守点検を含むレンタルを３年間に限定し、レンタル事業者はレンタル満了と同時にレンタル機器を顧客に無償で譲渡するレンタル方法と、保守点検を含むレンタルを３年間に限定し、レンタル満了と同時に新しい機器（同一商品または同等品）の提供を条件にレンタル契約を更新し、安心して必要な機器を合理的に利用することができるレンタルシステムによる市場拡大を向上させる販売機器のレンタル方法およびレンタルシステム。【選択図】図５
2012226716.tif 000002
【特許請求の範囲】
【請求項１】
販売機器のレンタルを３年間に限定し、保守点検サービスにおいては交換部品を除く（消耗部品等）を除いて無償とし、レンタル契約満了と同時に、レンタル事業者（以下、事業者という）は顧客へ当該レンタル機器の所有権の移転の譲渡覚書を交わし、貸出情報や事業者の所有者表示などを記録した当該商品にＲＦＩＤタグラベルを顧客名義に変更し、無償で顧客の所有物となることを特徴とする販売機器のレンタル方法およびレンタルシステム。
【請求項２】
販売機器のレンタルを３年間に限定した当該機器に貸出情報や事業者の所有者表示などを記録した当該商品にＲＦＩＤタグラベルを装着して管理すると同時に保守点検サービスは、事業者が交換部品等を除く（消耗部品等）を除いて無償とし、レンタル契約満了と同時に顧客は事業者へ当該レンタル機器を返却し、当該レンタル機器の貸出申込書に基づいて３年延長の再レンタル契約を交わし、事業者は同一商品または同等品の新しい機器の提供を条件に３年単位でレンタルを更新することを特徴とする請求項１に記載の販売機器のレンタル方法およびレンタルシステム。
【発明の詳細な説明】
【発明の詳細な説明】
【技術分野】
【０００１】  本発明は、３年間を限定して機器レンタルを行い、レンタル満了時に無償で譲渡するレンタル方法と、３年単位でレンタルを更新するレンタルシステムの販売機器のレンタル方法およびレンタルシステムに関する。
【背景技術】
【０００２】  従来の機器のレンタルは保守点検等の付加サービスにおいては顧客の満足に合致しない方法を採用してきた。【０００３】  また、機器販売の分割支払いにも保守点検の付加サービスはなく、保障名目で１年間など単年度の保証書を付けた販売が主流で、購買意欲を阻害して商品の販売等の向上には繋がらなかった。
【発明が解決しようとする課題】
【０００４】  しかし、機器のモデルチェンジや機能の向上は、短期間でめまぐるしく変わり顧客は戸惑い、買い控えをして購買意欲を阻害していた。
【０００５】  本発明は、このような従来の構成を有していた課題を解決しようとするものであり、保守点検に必要な負担を軽減できる販売機器のレンタル方法およびレンタルシステムの提供が望まれているものである
【課題を解決するための手段】
【０００６】  本発明の請求項１は、販売機器のレンタルを３年間に限定した保守点検の付加サービスを提供し、レンタル満了と同時にレンタル事業者（以下、事業者５という）は顧客６ａへ当該レンタル機器７ａを譲渡する証に、貸出情報や事業者の所有表示などの記録を付したＲＦＩＤタグラベル８ａを顧客名義に変更し無償で顧客６ａの所有物とするものである。
【０００７】  請求項２は、販売機器のレンタルを３年間に限定し、レンタル満了と同時に顧客６ｂは当該商品を事業者５に返却し、貸出申込書２ｂに基づいて３年更新のレンタル契約を交わし、事業者５は同一商品または同等品の新しい機器の提供を条件に３年単位でレンタルを更新ことにより導入の選択の幅が広がり事業者５と顧客６ｂの信頼が生まれ、市場拡大が向上することを目的にしたものである。
【発明の効果】
【０００８】  請求項１、及び、請求項２記載の発明により、レンタルまたは購入しようと考えるのが当然で、顧客にとっては選択数が多い方が好都合で、且つ、商品の市場拡大が期待できるものである。
【０００９】  さらに、販売機器のレンタル方法およびレンタルシステムの本発明は、両者にとって安心してレンタルなどの選択の効果と、事業者と顧客に益をもたらすシステムの提供を可能とするものである。
【図面の簡単な説明】
【００１０】
【図１】  本発明に係る販売機器のレンタル方法およびレンタルシステムの貸出申込書Ｉ１ａの例を示す模式図である。
【図２】  本発明に係るレンタル契約書Ｉ２ａの例を示す模式図である。
【図３】  本発明に係る貸出確認書Ｉ３ａの例を示す模式図である。
【図４】  本発明に係る譲渡覚書４の例を示す模式図である。
【図５】  （ａ）は本発明の実施の形態に係る販売機器のレンタル方法およびレンタルシステムの構成を示すブロック図である。（ｂ）本発明の実施の形態に係る販売機器のレンタル方法およびレンタルシステムを使用した機器レンタル手順を示すフローチャートである。
【図６】  本発明に係る概要貸出申込書ＩＩ１ｂの例を示す模式図である。
【図７】  本発明に係るレンタル契約書ＩＩ２ｂの例を示す模式図である。
【図８】  本発明に係る貸出確認書ＩＩ３ｂの例を示す模式図である。
【図９】  （ａ）は本発明の実施の形態に係る販売機器のレンタル方法およびレンタルシステムの構成を示すブロック図である。（ｂ）本発明の実施の形態に係る販売機器のレンタル方法およびレンタルシステムを使用した機器レンタル手順を示すフローチャートである。
【図１０】  本発明に係る貸出申込書ＩＩＩ１ｃの例を示す模式図である。
【図１１】  本発明に係るレンタル契約書ＩＩＩ２ｃの例を示す模式図である。
【図１２】  本発明に係る貸出確認書ＩＩＩ３ｃの例を示す模式図である。
【符号の説明】
【００１１】１ａ  貸出申込書Ｉ
１ｂ  貸出申込書ＩＩ
１ｃ  貸出申込書ＩＩＩ
２ａ  レンタル契約書Ｉ
２ｂ  レンタル契約書ＩＩ
２ｃ  レンタル契約書ＩＩＩ
３ａ  貸出確認書Ｉ
３ｂ  貸出確認書ＩＩ
３ｃ  貸出確認書ＩＩＩ
４    譲渡覚書
５    レンタル事業者
６ａ  顧客
６ｂ  顧客
７ａ  レンタル機器
７ｂ  レンタル機器
７ｃ  レンタル機器
８ａ  ＲＦＩＤタグラベル
８ｂ  ＲＦＩＤタグラベル
８ｃ  ＲＦＩＤタグラベル
【発明を実施するための形態】
【００１２】  本発明の実施の形態に係る販売機器のレンタル方法およびレンタルシステム等について、以下図面を参照にして説明する。
【００１３】  図１は、本発明の実施の形態に係る販売機器のレンタル方法およびレンタルシステムの３年限定レンタルの申込みの明細を記載した貸出申込書Ｉ１ａの例を示す。
【００１４】  図２は、本発明の実施の形態に係る３年限定レンタルのレンタル契約書Ｉ２ａの例を示す。
【００１５】  図３は、本発明の実施の形態に係る３年限定レンタルをレンタル事業者（以下、事業者という）と顧客の双方に確認する貸出確認書Ｉ３ａの例を示す模式図である。
【００１６】  図４は、本発明の実施の形態に係る３年限定レンタルの図２に示すレンタル契約書Ｉ２ａに基づいて、譲渡者である事業者５が、譲渡先の顧客６ａに無償でレンタル機器７ａの譲渡を証明する譲渡覚書４の例を示す。
【００１７】  図５の（ａ）は、事業者５が顧客６ａへレンタル機器７ａを３年限定でレンタルする構成を示すブロック図を示す。
【００１８】  図５の（ｂ）は、３年限定のレンタルするレンタル機器７ａを事業者５が顧客６ａに対し譲渡する内容について貸出申込書Ｉ１ａから譲渡する構成について説明する。
【００１９】  図１に示すような３年限定レンタルの図１に示す貸出申込書Ｉ１ａを顧客６ａは事業者５に提出した後、当該機器に貸出情報や所有者（事業者５）表示など記録した当該商品にＲＦＩＤタグラベル８ａを装着したレンタル機器７ａをレンタルに付随する図２に示すレンタル契約書Ｉ２ａ及び、図３に示す貸出確認書Ｉ３ａを事業者５は顧客６ａと取り交わし、または提出し３年限定でレンタルするもので、レンタル満了の１４日前に、事業者５は顧客６ａに対し譲渡の意思を申し出て図４に示す譲渡覚書４を提出する機器レンタルの手順を示すフローチャートである。
【００２０】  図６は、本発明の実施の形態に係る３年限定のレンタルを更新する、図６に示す貸出申込書ＩＩ１ｂの例を示す模式図である。
【００２１】  図７は、本発明の実施の形態に係る３年限定のレンタルを更新する、図７に示すレンタル契約書ＩＩ２ｂの例を示す模式図である。
【００２２】  図８は、本発明の実施の形態に係る３年限定のレンタルを更新する、図８に示す貸出確認書ＩＩ３ｂの例を示す模式図である。
【００２３】  図９の（ａ）は、事業者５が顧客６ｂへレンタル機器７ｂを３年単位でレンタルを更新する、レンタル方法の構成を示すブロック図を示す。
【００２４】  図９の（ｂ）は、事業者５が顧客６ｂへレンタル機器７ｂまたは７ｃを３年単位でレンタルを更新する内容について貸出申込書ＩＩ１ｂから譲渡する構成について説明する。
【００２５】  図９の（ｂ）に示すような３年限定のレンタルの図９に示す貸出申込書ＩＩ１ｂを顧客６ｂは事業者５に提出した後、当該機器に貸出情報や所有者（事業者５）表示など記録した当該商品にＲＦＩＤタグラベル８ｂを装着したレンタル機器７ｂのレンタルに付随する図９の（ｂ）に示すレンタル契約書ＩＩ２ｂ及び、貸出確認書ＩＩ３ｂを事業者５は顧客６ｂと取り交わし、または、提出して３年限定でレンタルするもので、
【００２６】  ３年間のレンタル満了の１４日前に、当該機器に貸出情報や所有者（事業者５）表示など記録した当該商品にＲＦＩＤタグラベル８ｃを装着したレンタル機器７ｃのレンタルに付随する図９の（ｂ）に示すレンタル契約書ＩＩＩ２ｃ及び、貸出確認書ＩＩＩ３ｃを事業者５は顧客６ｂと取り交わし、または、提出してレンタルを更新するものであり、
【００２７】  当該機器７ｃは、同一商品又は同等品の新しい機器の提供を条件に３年単位でレンタルを更新することを特徴とする本発明の実施の形態に係る販売機器のレンタル方法およびレンタルシステムを使用した機器レンタル手順を示すフローチャートである。
【００２８】  図１０は、本発明の実施の形態に係るフローチャートを構成する貸出申込書ＩＩＩ１ｃの例を示す。
【００２９】  図１１は、本発明の実施の形態に係るフローチャートを構成するレンタル契約書ＩＩＩ２ｃの例を示す。
【００３０】  図１２は、本発明の実施の形態に係るフローチャートを構成する貸出確認書ＩＩＩ３ｃの例を示す。
【図１】
2012226716.tif 000003
【図２】
2012226716.tif 000004
【図３】
2012226716.tif 000005
【図４】
2012226716.tif 000006
【図５】
2012226716.tif 000007
【図６】
2012226716.tif 000008
【図７】
2012226716.tif 000009
【図８】
2012226716.tif 000010
【図９】
2012226716.tif 000011
【図１０】
2012226716.tif 000012
【図１１】
2012226716.tif 000013
【図１２】
2012226716.tif 000014